(57)【特許請求の範囲】
【請求項１】
相対向する方形状の底板及び天板と、該底板及び天板の対向する二辺にそれぞれ回動可能に設けられ、かつ、連結部で内側へ折曲がるように連結された一対の板状体からなる側板とを備えた折畳み式収納容器であって、前記底板又は天板と前記側板との枢着部を略垂直方向に移動可能に形成し、垂直方向の荷重を天板を介して容器内に収納した収納物で受けるべく、底板と天板とが最も離れたときの両者の距離Ｈを、収納物の高さ寸法ｈよりも大きく設定するとともに、前記枢着部の移動距離を、前記底板と側板下部の枢着部における移動距離ａと、天板と側板上部の枢着部における移動距離ｂとが、ａ＋ｂ≧Ｈ−ｈの関係に形成したことを特徴とする折畳み式収納容器。
【請求項２】
前記底板又は天板と前記側板との当接部に、前記枢着部の移動により前記底板と天板とが近接したときに、側板を容器内方に押圧する押圧手段を設けたことを特徴とする請求項１記載の折畳み式収納容器。
【発明の詳細な説明】
【０００１】
【発明の属する技術分野】
本発明は、折畳み式収納容器に関し、詳しくは、外側が硬質な収納物、例えば多数個の飲料缶等を収納して保管・輸送・運搬する収納容器であって、複数個を積重ねることができる折畳み式収納容器に関する。
【０００２】
【従来の技術】
飲料缶等を多数個収納して保管・輸送・運搬する収納容器として、従来から、段ボールを所定の箱型に折曲げ形成したものが多く用いられている。この段ボール製の収納容器は、梱包単位で積重ねるときには、収納した缶でそれより上からの荷重を受け、収納容器自体では直接荷重を受けないため、軽く作ることができる。しかし、段ボール製の収納容器は、耐水性に劣り、反復使用ができないために、近年は、合成樹脂製の収納容器が注目されている。
【０００３】
【発明が解決しようとする課題】
しかし、合成樹脂製の収納容器の場合、缶の収納や取出しの際の作業性を考慮すると、容器収納口の高さ寸法を缶の高さ寸法より大きくするとともに、幅寸法も、収納単位に合わせた幅寸法よりも大きくする必要があった。このため、収納した缶が収納容器内でがたつくという問題があった。
【０００４】
また、収納容器を積重ねる際に、合成樹脂製の収納容器は、上からの荷重を収納容器で直接受けるため、各部の剛性を十分に確保しておく必要があった。特に、側板を折曲げ可能とした折畳み式の収納容器の場合は、側板の剛性、底板や天板との枢着部の剛性を荷重に耐えられるようにするため、より厚い肉厚、リブ構造を採用する必要があった。
【０００５】
さらに、荷重に対する剛性を満足したものであっても、収納部の寸法が、前述のように収納物の高さや幅よりも大きく、底板，天板と側板とが回動可能な枢着部で繋がれているため、特に横方向からの荷重が加わったときに、図１４に示すように、収納容器１の側板２が斜めになり、底板３，天板４及び上下一対の板状体２ａ，２ｂからなる側板２により形成される四角形が長方形を維持することができず、平行四辺形になることがある。このように平行四辺形状態になると、底板３の中心と天板４の中心とがずれ、更に積重ねられる収納容器１の中心が下部の収納容器１の中心からずれた状態になる。そして、このずれが大きくなると、荷崩れの問題を生じることになる。
【０００６】
そこで本発明は、収納物の出し入れが容易であり、収納物のがたつきを抑えることができるとともに、積重ねたときの安定性にも優れた折畳み式収納容器を提供することを目的としている。
【０００７】
【課題を解決するための手段】
上記目的を達成するため、本発明の折畳み式収納容器は、相対向する方形状の底板及び天板と、該底板及び天板の対向する二辺にそれぞれ回動可能に設けられ、かつ、連結部で内側へ折曲がるように連結された一対の板状体からなる側板とを備えた折畳み式収納容器であって、前記底板又は天板と前記側板との枢着部を略垂直方向に移動可能に形成し、垂直方向の荷重を天板を介して容器内に収納した収納物で受けるべく、底板と天板とが最も離れたときの両者の距離Ｈを、収納物の高さ寸法ｈよりも大きく設定するとともに、前記枢着部の移動距離を、前記底板と側板下部の枢着部における移動距離ａと、天板と側板上部の枢着部における移動距離ｂとが、ａ＋ｂ≧Ｈ−ｈの関係に形成したことを特徴とし、さらに、前記底板又は天板と前記側板との当接部に、前記枢着部の移動により前記底板と天板とが近接したときに、側板を容器内方に押圧する押圧手段を設けたことを特徴としている。
【０００８】
【発明の実施の形態】
以下、本発明を、図面を参照してさらに詳細に説明する。図１は本発明の折畳み式収納容器の一例を示す斜視図、図２は要部の側面図、図３乃至図７はそれぞれ天板と側板との枢着部の例を示す断面斜視図、図８は枢着部に弾性部材を設けた例を示す要部の断面図、図９は押圧手段を兼ねる枢着部の例を示す側面図、図１０は押圧手段の例を示す断面図、図１１乃至図１３はそれぞれ押圧手段の設置位置の相違による側板の変形状態の相違を示す斜視図である。
【０００９】
まず、図１及び図２に示すように、折畳み式収納容器１１は、相対向する方形状の底板１２及び天板１３と、該底板１２及び天板１３の対向する二辺にそれぞれ回動可能に設けられ、かつ、連結部１４で内側へ折曲がるように連結された一対の板状体１５ａ，１５ｂからなる側板１５とにより形成されており、各板により形成される収納部内に外側が硬質な収納物、例えば多数個の飲料缶１６を収納するものである。
【００１０】
前記底板１２又は天板１３と前記側板１５との枢着部１７は、底板１２又は天板１３と前記側板１５とが相対的に垂直方向に移動可能なように垂直方向の長孔で形成されており、該枢着部１７の移動により前記底板１２と天板１３との距離が変化するように形成されている。図２に示すように、この底板１２と天板１３とが最も離れたときの両者の距離Ｈは、収納する飲料缶１６の高さ寸法ｈよりも大きくなるように設定されており、また、両側板１５間の距離は、飲料缶１６の幅寸法と幅方向の収納個数との積、即ち収納物全体の幅寸法よりも大きくなるように設定され、収納物の幅方向端部と側板１５の内面との間には、適当な間隔Ｄが設けられている。
【００１１】
そして、前記枢着部１７の移動距離は、底板１２と側板１５の下部の枢着部１７における移動距離ａと、天板１３と側板１５の上部の枢着部１７における移動距離ｂとが、ａ＋ｂ≧Ｈ−ｈの関係になるように形成されている。なお、移動可能な枢着部は、上下のいずれか一方でもよく、両者の移動距離は同じでも異なっていてもよい。
【００１２】
このように形成した折畳み式収納容器１１は、飲料缶１６の収納や取出しの際には、適宜な手段で底板１２に対して天板１３を持ち上げ、底板１２と天板１３との距離が最大になるようにすることにより、飲料缶１６の周囲に適当な隙間が存在することになるので、飲料缶１６を容易に出し入れすることができる。
【００１３】
また、飲料缶１６を収納した状態では、枢着部１７の移動により天板１３が下降し、前述の寸法関係から、天板１３の下面が飲料缶１６の上端に当接した状態となる。したがって、垂直方向の荷重が加わった際には、その荷重を天板１３を介して収納物である飲料缶１６が受けるので、側板１５を強固に形成する必要がなくなる。さらに、天板１３等の剛性も軽減できるから、各部の肉厚を薄くすることができ、複雑なリブ構造を採用することもなくなるので、製造コストの低減や軽量化を図ることができる。しかも、収納されている飲料缶１６が底板１２と天板１３とで挟まれて固定された状態になるので、運搬中等に飲料缶１６ががたつくこともない。
【００１４】
さらに、この折畳み式収納容器１１は、飲料缶１６を収納していないときには、側板１５の連結部１４を内側に折曲げることにより、底板１２に天板１３を重ねた状態に折畳むことができ、空の収納容器の運搬や保管を容易に行うことができる。
【００１５】
なお、収納した飲料缶１６の保持は、適当な結束具で側板１５部分の周囲を結束したり、収納容器両端の開口部を塞ぐような扉体、あるいは、飲料缶１６の上下を保持する脱落防止部材を、底板１２や天板１３の端部に回動可能に設けたりすることにより行うことができる。
【００１６】
また、図１，図２に示す枢着部１７は、底板１２及び天板１３の端部に縦長の長孔１７ａを設け、該長孔１７ａに対応する軸部１７ｂを側板１５に設けた構造を有しているが、枢着部１７は、図３乃至図７に示すように、様々な構造を採用することができる。
【００１７】
図３に示す枢着部は、天板１３の周囲の垂下辺２１の内面に垂直方向の長孔２２を有するリブ２３を設け、該長孔２２に軸着する軸部２４を有する突起部２５，２５を側板１５の上部に設けたものである。
【００１８】
図４に示す枢着部は、側板１５の上部に、側板１５を立てたときに垂直方向となる長孔２６を形成した突起部２７を設けるとともに、天板１３の周囲の垂下辺２１の内面に長孔２６に軸着する軸部２８を有するリブ２９を設けたものである。
【００１９】
図５に示す枢着部は、垂下辺２１の内面に一対の鍵型の突起３０，３０を向かい合わせて設け、その内部に垂直方向の空間部３１を形成し、側板１５の上部には、空間部３１に対応した軸部３２を有する突起部３３，３３を設けたものである。
【００２０】
図６に示す枢着部は、垂下辺２１の内面に逆台形状のリブ３４を垂直方向に設けるとともに、該リブ３４に摺動可能なあり溝３５を有するスライド部材３６に側板１５の上部を軸部３７により回動可能に軸着したものである。
【００２１】
図７に示す枢着部は、垂下辺２１の内面に門型の突起３８を、その通孔３９が垂直方向になるように設けるとともに、該通孔部３９内に、垂直方向に移動可能なスライド部材４０を下方から挿入して抜止め突起４１により係合させ、このスライド部材４０に側板１５の上部を軸部４１により回動可能に軸着したものである。
【００２２】
このように、様々な手法で底板又は天板と側板との枢着部を略垂直方向に移動可能に形成することができる。なお、上記各図においては、天板と側板との枢着部を示したが、底板と側板との枢着部も同様に形成することができ、枢着部の位置、例えば天板や側板の長手方向両端部か、中央部かによって適宜な構造の枢着部を採用することができる。
【００２３】
また、図８は、枢着部１７における天板１３と側板１５との間に、天板１３を上方に付勢支持する弾性部材４２を設けた例を示している。この弾性部材４２は、飲料缶等の収納物の収納や取出しの際には、天板１３を上方に持ち上げて底板１２との距離が大きくなるように天板１３を支持し、収納物の出し入れを容易にするとともに、上方から荷重が加わった際には、変形することにより天板１３の下面を収納物の上面に当接させてがたつきを防止することができるような弾発力を有している。
【００２４】
図９は、前記底板１２又は天板１３と前記側板１５との枢着部１７において、底板１２及び天板１３の端部に設ける長孔１７ａを、側板１５側が外側に傾いた斜め方向に形成したものである。すなわち、底板１２に対して天板１３を持ち上げ、底板１２と天板１３との距離が最大になったときには、側板１５に設けた軸部１７ｂが容器外方に移動し、底板１２と天板１３とを近付けると軸部１７ｂが容器内方に移動するように長孔１７ａの向きが設定されている。
【００２５】
そして、軸部１７ｂの移動距離は、底板１２と天板１３との距離が最大になり、側板１５に設けた軸部１７ｂが容器外方に移動したときに、両側板１５の距離が、前述のように収納物全体の幅寸法よりも大きくなるように設定され、逆に底板１２と天板１３との距離が最小になったときに、両側板１５の距離が収納物全体の幅寸法と略同じになるように設定されている。
【００２６】
したがって、枢着部１７にこのような側板１５を容器内方に押圧する手段を採用することにより、収納物の収納や取出しの際には、天板１３を底板１２に対して上昇させることで十分な空間を確保することができ、その作業を容易に行うことができるとともに、収納物を収納した状態で天板１３を底板１２方向に押し下げることにより、底板１２と天板１３とで収納物の上下を、両側板１５で収納物の側面をそれぞれ保持することができるとともに、側板１５の位置や傾斜が収納物の側面で規制されることになり、底板１２と天板１３との相対的な位置のずれを少なくすることができ、積み重ね時の安定性を大幅に向上させることができる。
【００２７】
図１０は、底板１２と側板１５との当接部に設けた側板１５の押圧手段を示すものである。この押圧手段は、底板１２の立上り辺４３の内面に、容器内方に突出するリブ４４を設け、収納物収納状態で天板１３を底板１２方向に押し下げたときに、側板１５の下部外面がリブ４４の内面を摺接して側板１５が容器内方に変形するように形成されている。
【００２８】
すなわち、前記枢着部１７の移動により前記底板１２と天板１３とが離れた位置にあるときには、側板１５は、図１０に想像線で示す状態にあり、底板１２と天板１３とが近接するのに伴い、側板１５の下部がリブ４４の上部ガイド面４４ａによりガイドされて容器内方に移動し、図１０に実線で示す状態になる。なお、天板１３側も同様に形成することができる。
【００２９】
したがって、前記図９に示した枢着部１７における押圧手段と同様に、収納物を収納した状態で天板１３を底板１２方向に押し下げることにより、底板１２と天板１３とで収納物の上下を、両側板１５で収納物の側面をそれぞれ保持する状態になり、収納物を確実に保持できるとともに、底板１２と天板１３との相対的な位置のずれを少なくすることができる。
【００３０】
この押圧手段の形状，構成も上記形態例に限られるものではなく、例えば、前記リブと同様の機能を有する突出部を側板１５の上下に設け、該突出部と底板１２の立上り辺４３又は天板１３の垂下辺２１の内面とを摺接させるようにしてもよく、両方に互いに摺接する突出部を形成するようにしてもよく、さらに、側板１５の上下や立上り辺４３や垂下辺２１の全体をこのような形状にすることもできる。
【００３１】
上記側板１５を容器内方へ押圧する手段Ａを、図１１に示すように、側板１５の両端部に設けることにより、側板１５の中央部１５ｃを外方に膨らんだ状態にすることができ、また、図１２に示すように、側板１５の中央部１５ｃに設けることにより、側板１５の中央部を内方に凹ませた状態にすることができ、側板１５をこのような湾曲状にすることにより、剛性を向上させて底板１２と天板１３との位置関係を確実に保持することが可能となる。
【００３２】
また、図１３に示すように、側板１５の両端及び中央部の３箇所に押圧手段を設けることにより、底板１２と天板１３との位置関係を保持するだけでなく、収納物の側面全体を保持することができ、収納物のがたつきを確実に抑えることができる。
【００３３】
【発明の効果】
以上説明したように、本発明の折畳み式収納容器は、荷重を外側が硬質な収納物で受けるようにしたので、側板等を強固に形成する必要がなく、製造コストを低減することができる。また、上方から荷重が加わったときの天板の移動に伴って側板を移動させることにより、底板と天板との相対的な位置関係を確実に保持することができる。さらに、天板と底板とを押し広げるようにすることにより、収納物の出し入れを容易に行うことができる。
【図面の簡単な説明】
【図１】本発明の折畳み式収納容器の一例を示す斜視図である。
【図２】同じく要部の側面図である。
【図３】天板と側板との枢着部の例を示す断面斜視図である。
【図４】同じく枢着部の他の例を示す断面斜視図である。
【図５】同じく枢着部の他の例を示す断面斜視図である。
【図６】同じく枢着部の他の例を示す断面斜視図である。
【図７】同じく枢着部の他の例を示す断面斜視図である。
【図８】枢着部に弾性部材を設けた例を示す要部の断面図である。
【図９】押圧手段を兼ねる枢着部の例を示す側面図である。
【図１０】押圧手段の例を示す断面図である。
【図１１】押圧手段を設けたときの側板の変形状態を示す斜視図である。
【図１２】同じく側板の他の変形状態を示す斜視図である。
【図１３】同じく側板の他の変形状態を示す斜視図である。
【図１４】従来の折畳み式収納容器を積重ねた状態の一例を示す斜視図である。
【符号の説明】
１１…折畳み式収納容器、１２…底板、１３…天板、１４…連結部、１５…側板、１６…飲料缶、１７…枢着部、１７ａ…長孔、１７ｂ…軸部
【図１】
0003588763.tif 000002
【図２】
0003588763.tif 000003
【図３】
0003588763.tif 000004
【図４】
0003588763.tif 000005
【図５】
0003588763.tif 000006
【図６】
0003588763.tif 000007
【図７】
0003588763.tif 000008
【図８】
0003588763.tif 000009
【図９】
0003588763.tif 000010
【図１０】
0003588763.tif 000011
【図１１】
0003588763.tif 000012
【図１２】
0003588763.tif 000013
【図１３】
0003588763.tif 000014
【図１４】
0003588763.tif 000015